(57)【特許請求の範囲】
【請求項１】
少なくとも蓄電池と太陽光発電手段と冷却ファンとを収納する電源箱を含めた電源装置であって、外部負荷に電力を供給する蓄電池と、太陽光により発電する太陽光発電手段と、上記電源箱内の空気を循環すると共に、温められた空気を外に排出して、上記電源箱内を冷却する冷却ファンと、上記太陽光発電手段により生じた電力を上記冷却ファンに供給するか、上記蓄電池に供給するか、もしくは上記蓄電池の電力を上記冷却ファンに供給するか、を切り替え制御する第１の制御手段と、上記第１の制御手段を介して上記冷却ファンに供給される上記太陽光発電手段により生じた電力または上記蓄電池の電力を制御して上記冷却ファンの回転数を制御する第２の制御手段と、上記第１、第２の制御手段を制御する第３の制御手段を備え、上記太陽光発電手段により生じた電力の電圧をデューティー比一定で変換する電圧変換手段をさらに備え、上記第３の制御手段により、上記第１の制御手段にて上記太陽光発電手段により上記冷却ファンに電力を供給する状態に選択された場合、上記太陽光発電手段から上記電圧変換手段を介して上記冷却ファンに電力を供給することにより、日射強度がある強度以上となり、上記冷却ファンが起動できる電圧に達すると、上記冷却ファンが起動し、日射強度に応じて上記冷却ファンの回転数が変化し、かつ、日射強度が低下し上記冷却ファンが停止する電圧に達すると上記冷却ファンが停止し、日射強度に応じて上記冷却ファンの起動・停止・回転数の制御を行うことを特徴とする電源装置。
【請求項２】
請求項１において、上記第３の制御手段内にタイマーをさらに備え、上記第３の制御手段から出力される上記タイマーに設定された時刻によって、上記第２の制御手段は、上記冷却ファンから発生する騒音を、あらかじめ定められた騒音基準以下となるように、上記冷却ファンの回転数を制御するよう動作することを特徴とする電源装置。
【請求項３】
請求項１または請求項２において、上記第３の制御手段内に温度検出手段をさらに備え、上記第３の制御手段から出力される上記温度検出手段からの信号によって、上記第１の制御手段は、上記電源箱内の温度が冷却する必要があるしきい値温度を上回った場合に、上記太陽光発電手段によって生じた電力を上記冷却ファンヘ供給し、上記しきい値温度を下回った場合に、上記太陽光発電手段によって生じた電力を上記蓄電池へ供給して上記蓄電池を補助的に充電するよう動作することを特徴とする電源装置。
【請求項４】
請求項１または請求項２において、上記第３の制御手段内に温度検出手段をさらに備え、上記第３の制御手段から出力される上記温度検出手段からの信号によって、上記第１の制御手段は、上記電源箱内の温度があらかじめ定められた上限値手前の温度を上回り、かつ上記太陽光発電手段によって生じた電力が上記冷却ファンの作動電圧以下である場合に、上記蓄電池の電力を上記冷却ファンヘ供給して上記電源箱内を冷却するよう動作することを特徴とする電源装置。
【請求項５】
請求項１ないし請求項４のいずれか１項において、上記電源箱の屋根裏の構造をドーム型とすると共に、屋根横周囲に空気排出口を設け、上記冷却ファンで生じた空気の流れを効率よく排出する構造としたことを特徴とする電源装置。
【請求項６】
請求項１ないし請求項５のいずれか１項において、上記電源箱を二重構造とし外箱と内箱の間に影を作ると共に、外箱の外側表面に赤外線反射塗料を塗布したことを特徴とする電源装置。
【請求項７】
請求項６において、上記電源箱の内側の板内面に断熱材を貼り付けたことを特徴とする電源装置。
【発明の詳細な説明】
【０００１】
【発明の属する技術分野】
本発明は、蓄電池、太陽光発電手段、冷却ファン等を収納する電源箱を含めた電源装置に係り、太陽光発電手段で発生した電力を利用して冷却ファンを運転し電源箱内を冷却し、条例で定められた各種基準に適合した冷却システムを備えた電源装置に関する。
【０００２】
【従来の技術】
従来、蓄電池等を収納した屋外用電源箱内を冷却する冷却ファンの運転には商用電源あるいは蓄電池の電力が用いられており、ファンの起動・停止はサーモスタットによって制御し、ファンの回転数は日射強度に関係なく一定であるか、電源箱内の温度によって回転数が変わるファンを使用していた。
【０００３】
【発明が解決しようとする課題】
しかし、従来の屋外用電源箱内を冷却するシステムにおいては、商用電源が停止し、蓄電池も放電終了するとファンも停止してしまい、これら電源が停止後、日射が強い場合には電源箱内の温度が上昇して、蓄電池の劣化が進行してしまうと共に、法令が定めている条例キュービクル式変電設備等の基準のうち、蓄電池設備内が著しく高温にならないようにするという項や、条例キュービクル式蓄電池設備の試験基準のうち、屋外箱内の温度は４０℃を限度とする規定に抵触するという問題が生じる。また、電源箱内の温度上昇は、日射強度の上昇に比べて若干の遅れが出ること、好天では急激な温度上昇が起こるため、ファンの起動に遅れが出てしまい、十分な冷却効果が得られない。さらに、各自治体が定める公害防止条例の騒音基準において、一番規制の厳しい夕方から夜間の基準を満たすために、回転数が一定であるファンを用いた場合、ファンの回転数を低くしなければならず、日中、日射強度が強い場合には十分な冷却効果が得られない。また電源箱内の温度によって、回転数が変わるファンを用いる場合、電源箱の温度が夕方・夜間になっても依然として高い場合は、高速回転のままであり規制基準を上回ってしまう。
【０００４】
本発明の目的は、上記従来技術における問題点を解決するためになされたものであって、商用電源が停止し、蓄電池が放電しきった後でも電源箱内を冷却することができ、条例で定められた基準に適合した電源箱の冷却システムを備えた電源装置を提供することにある。
【０００５】
【課題を解決するための手段】
上記目的を達成するため、本発明は特許請求の範囲に記載のような構成とするものである。すなわち、本発明は請求項１に記載のように、少なくとも蓄電池と太陽光発電手段と冷却ファンとを収納する電源箱を含めた電源装置であって、外部負荷に電力を供給する蓄電池と、太陽光により発電する太陽光発電手段と、上記電源箱内の空気を循環すると共に、温められた空気を外に排出して、上記電源箱内を冷却する冷却ファンと、上記太陽光発電手段により生じた電力を上記冷却ファンに供給するか、上記蓄電池に供給するか、もしくは上記蓄電池の電力を上記冷却ファンに供給するか、を切り替え制御する第１の制御手段と、上記第１の制御手段を介して上記冷却ファンに供給される上記太陽光発電手段により生じた電力または上記蓄電池の電力を制御して上記冷却ファンの回転数を制御する第２の制御手段と、上記第１、第２の制御手段を制御する第３の制御手段を備え、上記太陽光発電手段により生じた電力の電圧をデューティー比一定で変換する電圧変換手段をさらに備え、上記第３の制御手段により、上記第１の制御手段にて上記太陽光発電手段により上記冷却ファンに電力を供給する状態に選択された場合、上記太陽光発電手段から上記電圧変換手段を介して上記冷却ファンに電力を供給することにより、日射強度がある強度以上となり、上記冷却ファンが起動できる電圧に達すると、上記冷却ファンが起動し、日射強度に応じて上記冷却ファンの回転数が変化し、かつ、日射強度が低下し上記冷却ファンが停止する電圧に達すると上記冷却ファンが停止し、日射強度に応じて上記冷却ファンの起動・停止・回転数の制御を行う電源装置とするものである。
【０００７】
また、請求項２に記載のように、請求項１において、上記第３の制御手段内にタイマーをさらに備え、上記第３の制御手段から出力される上記タイマーに設定された時刻によって、上記第２の制御手段は、上記冷却ファンから発生する騒音を、あらかじめ定められた騒音基準以下となるように、上記冷却ファンの回転数を制御するよう動作する電源装置とするものである。
【０００８】
また、請求項３に記載のように、請求項１または請求項２において、上記第３の制御手段内に温度検出手段をさらに備え、上記第３の制御手段から出力される上記温度検出手段からの信号によって、上記第１の制御手段は、上記電源箱内の温度が冷却する必要があるしきい値温度を上回った場合に、上記太陽光発電手段によって生じた電力を上記冷却ファンヘ供給し、上記しきい値温度を下回った場合に、上記太陽光発電手段によって生じた電力を上記蓄電池へ供給して上記蓄電池を補助的に充電するよう動作する電源装置とするものである。
【０００９】
また、請求項４に記載のように、請求項１または請求項２において、上記第３の制御手段内に温度検出手段をさらに備え、上記第３の制御手段から出力される上記温度検出手段からの信号によって、上記第１の制御手段は、上記電源箱内の温度があらかじめ定められた上限値手前の温度を上回り、かつ上記太陽光発電手段によって生じた電力が上記冷却ファンの作動電圧以下である場合に、上記蓄電池の電力を上記冷却ファンヘ供給して上記電源箱内を冷却するよう動作する電源装置とするものである。
【００１０】
また、請求項５に記載のように、請求項１ないし請求項４のいずれか１項において、上記電源箱の屋根裏の構造をドーム型とすると共に、屋根横周囲に空気排出口を設け、上記冷却ファンで生じた空気の流れを効率よく排出する構造にした電源装置とするものである。
【００１１】
また、請求項６に記載のように、請求項１ないし請求項５のいずれか１項において、上記電源箱を二重構造とし外箱と内箱の間に影を作ると共に、外箱の外側表面に赤外線反射塗料を塗布した電源装置とするものである。
【００１２】
また、請求項７に記載のように、請求項６において、上記電源箱の内側の板内面に断熱材を貼り付けた電源装置とするものである。
【００１３】
【発明の実施の形態】
以下、図面に基づいて本発明の実施の形態を詳細に説明する。
図１は本発明の実施の形態の一例である蓄電池、太陽光発電手段、冷却ファン等を収納する電源箱を含めた電源装置の構成を示す図、図２は本発明の実施の形態の一例である電源箱の構造を示す図。図３は本発明の実施の形態の一例である電力供給ブロック図、図４は本実施の形態に係る電圧変換手段ｂの一例として昇圧コンバータを用いた時の各入力電圧におけるデューティー比と出力電圧の関係を示す図、図５は本実施の形態に係るファン入力電圧とファン回転数の関係を示す図、図６は本実施の形態に係る日射量と時刻に応じたファンの回転数（運転状態）を示す図、図７は本実施の形態に係る電源箱内の温度に応じた電力供給状態を示す図、図８は本実施の形態に係る蓄電池からファンヘ電力供給する場合の日射量と電源箱内の温度状態を示す図、図９は本実施の形態に係る電源箱に赤外線反射塗料を塗布した場合と塗布しない場合の温度上昇の比較図である。
また、表１は東京都と大阪府の騒音防止条例における騒音レベル規制基準である。
【００１４】
図１において、通信装置１は平常時には商用電源Ｐで運転しており、上記商用電源の電圧を変換する電圧変換手段ａ３と、上記電圧変換手段ａ３に接続された負荷２とで構成される。本発明の電源装置２１は上記商用電源Ｐが停止したとき上記負荷２に電力を供給する蓄電池４と、電源箱５（図２参照）と、上記電源箱５の上部に太陽光Ｌにより発電する太陽光発電手段６と、上記太陽光発電手段６により生じた電圧を変換する電圧変換手段ｂ７と、上記電源箱５内の空気を循環させると共に、上記電源箱５内で日射や外気温で温められた空気を外に排出して、上記電源箱５を冷却する冷却ファン１２と、上記太陽光発電手段６によって生じた電力を上記冷却ファン１２ヘ供給するか、上記蓄電池４へ供給するか、あるいは上記蓄電池４の電力を上記冷却ファン１２ヘ供給するかを切り替えるスイッチ１と、上記冷却ファン１２の回転数を切り替えるスイッチ２と電圧変換手段ｃ１０と、上記スイッチ１と２を制御する制御手段１１によって構成されている。
【００１５】
本発明の電源装置では図３に示すように、太陽光から太陽光発電手段６によって電力を発生し、得られた電力を電圧変換手段ｂ７で所要の電圧に変換して冷却ファン１２に電力を供給し、冷却ファン１２を作動させる。この作動した冷却ファン１２によって日射や外気温で温められた電源箱内部の空気を強制的に排気し電源箱５内を冷却する。
図３に示すように、スイッチ２（９）はタイマー１１ｂによって切り替えを、スイッチ１ａ（８ａ）、スイッチ１ｂ（８ｂ）はサーモスタット１１ａによって開閉を行う。ダイオード１９は蓄電池放電が行われたときに逆流電流が電圧変換手段ｂに流れるのを防ぐためにある。
【００１６】
まず太陽光発電手段６と、電圧変換手段ｂの動作について説明する。太陽光発電手段６は、日射強度に応じて取り出すことのできる電力が変化する。この性質を利用して、電圧変換手段ｂの出力電圧も日射強度に応じて変化するようにした。太陽光発電手段６から出力される最大電圧が冷却ファン１２の定格運転時の電圧に比べて低い場合、電圧変換手段ｂは昇圧コンバータに、あるいは太陽光発電手段６から出力される最大電圧がファン１２の定格運転時の電圧に比べて高い場合、電圧変換手段ｂは降圧コンバータにすればよい。
【００１７】
図４に電圧変換手段ｂの一例として昇圧コンバータを用いた時の各入力電圧におけるデューティー比と出力電圧の関係を示す。通常のコンバータでは入力電圧が変化するとデューティー比を変化させて出力電圧を一定とする。本発明ではコンバータのデューティー比を一定とする。日射強度が十分にあるときは電圧変換手段ｂからの出力電力は一定であるため、コンバータの出力電圧は一定となる。しかし日射強度が少なくなると取り出せる電力が小さくなるため、入力電圧が低下し、コンバータの出力電圧も低下する。この電圧をファンに供給すると電圧に応じた回転数となる。したがって日射強度に応じた回転数が実現する。
【００１８】
図５に、ファン入力電圧とファン回転数の関係を示す。出力電圧が小さいとファンは回転せず、ある電圧になると回転し始めるが回転数は低い。出力電圧が大きくなるとファン回転数も増加してゆく。コンバータの出力電圧をファンの定格電圧に設定しておけば、日射強度が強くなり過ぎても出力電圧は一定となるため、ファン回転数も一定となる。
【００１９】
次に、スイッチ２（９）とタイマー１１ｂ（図３参照）の動作について説明する。電源箱ではファン以外に音を出すものが存在しないため、ファンの回転数のみによって騒音レベルが変化する。すなわち、ファンの回転数が高ければ騒音レベルは大きくなり、ファンの回転数が低ければ騒音レベルは小さくなる。ここで、自治体が定める公害防止条例の騒音基準を満たすためにファンの回転数を抑える必要があるが、騒音基準は時間帯によって変化し、昼間は比較的基準が緩く、夕方から夜間、深夜にかけては基準が厳しい。例えば、東京都の住宅地域における騒音基準は午前８時から午後７時までは４５ｄＢ（Ａ）、それ以外は４０ｄＢ（Ａ）となっている。したがって、ファンの回転数は昼間は騒音基準が緩いため比較的高く、夕方以降は低く設定すれば騒音基準を満たしつつ昼間の電源箱の冷却を効果的に行うことができる。スイッチ２が接点１に接続されるとファンの入力電圧はコンバータの出力電圧と等しいため、日射強度に応じたファン回転数となる。スイッチ２が接点２に接続されると、ファンの入力電圧は電圧変換手段ｃ内のダイオード２０のツェナー電圧以上の電圧とはならないため、日射強度が強くなっても、ある回転数で制御される。このスイッチ２の切り替えをタイマーによって制御し、タイマーは騒音基準が変わる時刻に設定しておく。例えば、東京都の騒音基準に合わせると、午前８時にスイッチ２が接点１へ、午後７時に接点２へ接続されるように設定しておく。公害防止条例の騒音規制基準は表１に示すように各自治体によって時間帯、騒音レベルが異なるため、タイマーは各自治体の基準に沿って設定することも可能であり、また比較的厳しい自治体の基準に合わせておくようにすれば、それより緩い基準を持つ自治体には無条件で適応することができる。
【００２０】
【表１】
0003761822.tif 000002
図６に、日射強度（日射量）と時刻に応じたファンの運転状態（回転数）を示す。日の出と共に、太陽光発電手段は発電を開始するが電圧が低いためファンは起動しない。この時、まだ午前８時前であればスイッチ２は接点２へ接続されている。ある日射強度になるとファン起動電圧に達するため、ファンは起動する。さらに、日射強度が上昇すると強度に応じてファン回転数が上昇する。しかし、スイッチ２が接点２へ接続されているため日射強度がさらに上昇してもファン回転数はある値で一定となる。８時になると騒音基準が緩くなるため、ファン回転数を増加させることができ、タイマーによりスイッチ２は接点１へ切り替わりファンは高速回転となる。夕方になると日射強度が弱くなるためファン回転数が減少する。午後７時になるとタイマーが作動しスイッチ２が接点２に切り替わり、ファン回転数がある値で一定となる。さらに日射強度が弱くなるとコンバータの出力電圧の減少に応じてファン回転数も減少してゆく。日射強度が０近くになると、太陽光発電手段で生じた電圧がファン作動電圧よりも小さくなり、ファンは停止する。以上によりファンの回転数をタイマーにより制御することにより、自治体の公害防止条例の騒音基準を満たしつつ、昼間日射強度が強い場合には効果的に電源箱内を冷却することができる。
【００２１】
スイッチ１ａ、１ｂは、電力供給の切り替えスイッチであり、サーモスタットによって制御される。図７に、電源箱内の温度Ｔに応じた電力供給状態を示す。電源箱内温度が冷却する必要のあるしきい値温度Ｔａを上回るとサーモスタットによってスイッチが切り替わるように設定すると、Ｔａ以上となるとスイッチ１ａはオン、スイッチ１ｂはオフとなり太陽光発電手段で生じた電力はファンヘ供給される。Ｔａ以下になると、スイッチ１ａはオフ、スイッチ１ｂはオンとなり、太陽光発電手段で生じた電力は蓄電池へ供給される。これにより、電源箱内の冷却が必要でない場合には、太陽光発電手段で発生した電力を蓄電池に充電することにより、商用電源から蓄電池へ充電する電力を節約することができる。
【００２２】
日射強度が極めて弱いかゼロであるにもかかわらず、電源箱内の温度が依然として高い状態があった場合には、緊急手段として蓄電池からの電力でファンを作動する。図８に蓄電池からファンヘ電力供給する場合の日射量と電源箱内の温度状態を示す。電圧変換手段ｂの出力電圧を検出してファンが作動できない電圧であり、かつサーモスタットで検出した電源箱内温度Ｔが法令等が定める上記電源箱内温度の上限値手前の温度Ｔｂ以上の条件が揃った場合には、スイッチ１ａ、１ｂを同時にオンさせ蓄電池からファンヘ電力を供給する。また、この電力供給は蓄電池が、ある電圧以下となった場合には蓄電池を保護するためスイッチ１ｂをオフする。この供給方法は、商用電源が停止し蓄電池電力が通信装置の負荷によって消費され蓄電池放電終了電圧まで放電しきった場合には使用することはできないが、蓄電池が放電しきって、かつ日没後に電源箱内温度が依然として高いというケースは極めて希である。
【００２３】
次に、電源箱構造の詳細について説明する。図２に示すように、電源箱５は二重構造となっており、外箱１３の鋼板の外側には赤外線反射塗料が塗布されており、内側の鋼板の裏側には断熱材１５が貼り付けてある。また、電源箱５上部の構造は外から水や異物の侵入を抑えるため、屋根裏と冷却ファン１２外周に壁を設けると共に、ファンの空気排出口１６には網を張ってある。そして、屋根裏の構造をドーム型構造１７とすることにより換気装置（冷却ファン１２）で排気した空気を効率よく屋根横の空気排出口１６に流れるようにしてある。さらに、屋根横周囲の排出口を多く開けることにより、空気を効率よく外に排出できるようにしてある。屋根裏の構造はドーム型の他に四角錐にしてもよく、この場合、鋼板の加工性が容易になるという利点がある。
【００２４】
図９は、電源箱に赤外線反射塗料を塗布した場合と塗布しない場合の温度上昇の比較図である。気温が低い場合には差はほとんど見られないが、気温が高い地点では２、３℃の違いが見られる。これは特に、日中日射が強い時に効果的であることが分かる。また、電源箱を二重構造とすると外箱と内箱の間に影ができるため、内箱に及ぼす日射の影響を小さくすることができる。さらに、内箱の板内面に断熱材を張ることにより、日射や外気温によって温められた空気が電源箱内に侵入することを防ぐ効果がある。
【００２５】
【発明の効果】
（１）本発明の請求項１記載の電源装置においては、本発明の請求項１に記載の商用の電力、蓄電池の電力とは独立した太陽光発電手段を用いて、太陽光発電の電力で冷却ファンを駆動することにより、商用電源が停止し蓄電池放電終了後でも電源箱内を冷却することができ、さらに、太陽光発電手段からデューティー比一定の電圧変換手段ｂを介して上記冷却ファンに電力を供給することにより、日射強度に応じた冷却ファンの回転数を実現し、日射強度が急激に上昇した場合でも即座に冷却することができると共に、回路構成はデューティー比一定であるため、フィードバック回路が不要となり、部品点数を削減することができ、コスト削減と省スペース化を図ることができる。
（２）また、本発明の請求項２記載の電源装置においては、タイマーにより各自治体が定める公害防止条例の騒音基準を満たすように冷却ファンの回転数を制御するため、昼間、電源箱内温度が高くなった場合には、冷却ファンを高速回転で運転し電源箱内を効果的に冷却し、夕方や夜には、冷却ファンを低速回転に落とすことにより、昼間よりも厳しい騒音基準を満たしつつ、上記電源箱内を冷却することができる。
（３）また、本発明の請求項３記載の電源装置においては、制御手段内の温度検出手段において、上記電源箱内の温度Ｔが蓄電池を冷却する必要のあるしきい値温度Ｔａを上回った場合に、スイッチ１を通じて太陽光発電手段によって生じた電力をファンヘ供給し、Ｔａを下回った場合に、切り替えスイッチ１を通じて蓄電池へ供給する構成としており、外気温は低いが日射がある程度存在するような状況が生じた場合には、太陽光発電手段の電力を蓄電池に充電できるため、商用電源からの蓄電池に充電する電力を節約することができる。
（４）また、本発明の請求項４記載の電源装置においては、制御手段内の温度検出手段において、上記箱内の温度Ｔが法令等が定める電源箱内温度の上限値手前の温度Ｔｂを上回り、かつ太陽光発電手段によって生じた電圧がファン作動電圧以下である場合に、スイッチ１を通じて蓄電池の電力をファンヘ供給し上記電源箱内を冷却し、法令等が定める上記電源箱内温度の上限値を越えないように制御しており、外気温は高いが日射がゼロ、あるいは弱く、太陽光発電手段の電力ではファンが作動しない状況が生じた場合には、蓄電池からの電力で冷却ファンを駆動する緊急手段があるため、蓄電池の温度上昇を防ぐことができ、その劣化防止に役立つ。
（５）また、本発明の請求項５記載の電源装置においては、屋根裏の構造をドーム型にすると共に、屋根横周囲に空気排出口を設け、上記電源箱内の空気を効率よく排出することができる。
（６）また、本発明の請求項６記載の電源装置においては、上記電源箱に赤外線反射塗料を塗布し、かつ、二重構造とすることにより日射に対する遮蔽効果を上げることができる。
（７）また、本発明の請求項７記載の電源装置においては、上記電源箱の内箱の板内側に断熱材を貼り付けることにより日射によって温められた空気が上記電源箱内に侵入しないようにできる。
【図面の簡単な説明】
【図１】本発明の実施の形態の一例である蓄電池、太陽光発電手段、冷却ファン等を収納する電源箱を含めた電源装置の構成を示す図。
【図２】本発明の実施の形態の一例である電源箱の構造を示す模式図。
【図３】本発明の実施の形態の一例である電力供給ブロック図。
【図４】本発明の実施の形態に係る電圧変換手段として昇圧コンバータを用いた時の各入力電圧におけるデューティー比と出力電圧の関係を示す図。
【図５】本発明の実施の形態に係るファン入力電圧とファン回転数の関係を示す図。
【図６】本発明の実施の形態に係る日射強度（日射量）と時刻に応じたファンの運転状態（回転数）を示す図。
【図７】本発明の実施の形態に係る電源箱内の温度に応じた電力供給状態を示す図。
【図８】本発明の実施の形態に係る蓄電池からファンヘ電力供給する場合の日射量と電源箱内の温度状態を示す図。
【図９】本発明の実施の形態に係る電源箱に赤外線反射塗料を塗布した場合と塗布しない場合の温度上昇の比較を示す図。
【符号の説明】
１…通信装置
２…負荷
３…電圧変換手段ａ
４…蓄電池
５…電源箱
６…太陽光発電手段
７…電圧変換手段ｂ
８…スイッチ１
８ａスイッチ１ａ
８ｂスイッチ１ｂ
９…スイッチ２
１０…電圧変換手段ｃ
１１…制御手段
１１ａ…サーモスタット
１１ｂ…タイマー
１２…冷却ファン
１３…外箱
１４…内箱
１５…断熱材
１６…空気排気口
１７…ドーム型構造
１８…雨水侵入防止板
１９…ダイオード１
２０…ダイオード２
２１…電源装置
【図１】
0003761822.tif 000003
【図２】
0003761822.tif 000004
【図３】
0003761822.tif 000005
【図４】
0003761822.tif 000006
【図５】
0003761822.tif 000007
【図６】
0003761822.tif 000008
【図７】
0003761822.tif 000009
【図８】
0003761822.tif 000010
【図９】
0003761822.tif 000011